(57)【要約】【課題】本発明は、薬剤の流出を防止する事を目的とする。【解決手段】注射器６の注射針８は、その上端側が円錐形状部１３となり、円錐形状部１３の下方に針穴１４を備え、注射器６の注射器外筒７を保持する注射器外筒保持体９を移動させることによって、弾性栓２の下方から、注射器６の注射針８を弾性栓２に貫通させ、バッグ４内に進入させる穿刺工程（Ｓ１）と、注射器６とバッグ４間にて、薬剤を移送させる薬剤移送工程（Ｓ２）と、注射器外筒保持体９を移動させることによって、注射針８の針穴１４が弾性栓２内に位置する状態まで移動させる第１の抜刺工程（Ｓ３）と、注射器６の押子１１を保持する押子保持体１７を移動させることによって、押子１１を第１の所定量引き出す第１の吸引工程（Ｓ４）と、注射器外筒保持体９を移動させることによって、注射針８を弾性栓２外まで移動させる第２の抜刺工程（Ｓ５）とを有する。【選択図】図２
2013158585.tif 000002
【特許請求の範囲】
【請求項１】
注射器と、弾性栓付き薬剤供給口を有するバッグ間とで薬剤を移送させる薬剤移送方法において、
前記注射器の注射針は、その上端側が円錐形状部となり、この円錐形状の下方に針穴を備え、
前記注射器の注射器外筒を保持する注射器外筒保持体を移動させることによって、前記弾性栓の下方から、前記注射器の注射針を前記弾性栓に貫通させ、前記バッグ内に進入させる穿刺工程と、
その後、前記注射器と前記バッグ間にて、薬剤を移送させる薬剤移送工程と、
その後、前記注射器外筒保持体を移動させることによって、前記注射針の針穴が前記弾性栓内に位置する状態まで移動させる第１の抜刺工程と、
その後、前記注射器の押子を保持する押子保持体を移動させることによって、前記押子を第１の所定量引き出す第１の吸引工程と、
その後、前記注射器外筒保持体を移動させることによって、前記注射針を前記弾性栓外まで移動させる第２の抜刺工程と、
を有する薬剤移送方法。
【請求項２】
弾性栓付き薬剤供給口を有するバッグを保持するバッグ保持体と、このバッグ保持体の下方において、注射器の注射器外筒を、この注射器の注射針を上方に向けて保持する注射器外筒保持体と、その注射器外筒保持体を駆動する注射器外筒保持体駆動体と、前記注射器の押子を駆動する押子駆動体と、この押子駆動体及び前記注射器外筒保持体の駆動制御を行う制御部と、を備え、前記注射器の注射針は、上端側が円錐形状部とし、この円錐形状の下方に針穴を有する構成とし、前記制御部は、注射針をバッグの弾性栓付き薬剤供給口から引き抜く際には、注射器外筒保持体を下方に移動させ、前記注射針の針穴が弾性栓内に位置する状態で保持し、この保持状態で、押子駆動体にて押子を引き、その後、注射器外筒保持体を下方に移動させることで、注射針を弾性栓外に引き出す動作をさせる構成とした薬剤移送装置。
【発明の詳細な説明】
【技術分野】
【０００１】
本発明は、注射器と弾性栓付き薬剤供給口を有するバッグ間とで薬剤を移送させる薬剤移送方法と、それを用いた薬剤移送装置に関するものである。
【背景技術】
【０００２】
従来、注射器と弾性栓付き薬剤供給口を有するバッグ間にて薬剤を移送させる薬剤移送方法は、以下のような工程を有していた。
【０００３】
すなわち、従来の薬剤移送方法は、注射器の外筒を保持する注射器外筒保持体を移動させることによって、前記注射器外筒保持体によって保持された前記注射器外筒を、弾性栓付き薬剤供給口を有する前記バッグの前記弾性栓の下方から、前記注射器の注射針を前記弾性栓を貫通して、前記バッグ内に進入させる穿刺工程と、その後、前記注射器と、前記バッグ間にて、薬剤を移送させる薬剤移送工程と、その後、前記注射器外筒保持体を移動させることによって、前記注射器外筒保持体によって保持された前記外筒を、弾性栓付き薬剤供給口を有するバッグの前記弾性栓の下方から、前記注射針を前記バッグ外に引き抜く抜刺工程とを備えた構成となっていた（たとえば下記特許文献１参照）。
【先行技術文献】
【特許文献】
【０００４】
【特許文献１】特開平１−１８５２６６号公報
【発明の概要】
【発明が解決しようとする課題】
【０００５】
しかしながら、前記従来例においては、バッグ内部に入れられた前記注射針をバッグ外に引き抜く際に、薬剤が外部へ流出するという問題を有していた。
【０００６】
一般に使用される注射器の注射針は、その先端がベベルカット（例えば、特許文献である特開２００２−２９１８８３号公報参照）されている。そのような注射針を用いた場合、バッグ内部に入れられた注射針を引き抜く際、バッグ外に引き抜く時に注射針の先端がバッグの弾性栓が通過する際に注射針の先端のベベルカットされた面の上部に薬剤が残留してしまい、その結果として、薬剤が外部へ流出してしまうというものであった。
【０００７】
そこで本発明は、薬剤の流出を防止する事を目的とするものである。
【課題を解決するための手段】
【０００８】
そしてこの目的を達成するために本発明の薬剤移送方法は、前記注射器の注射針は、その上端側が円錐形状となり、この円錐形状の下方に針穴を備え、前記注射器の注射器外筒を保持する注射器外筒保持体を移動させることによって、前記弾性栓の下方から、前記注射器の注射針を前記弾性栓に貫通させ、前記バッグ内に進入させる穿刺工程と、その後、前記注射器と前記バッグ間にて、薬剤を移送させる薬剤移送工程と、その後、前記注射器外筒保持体を移動させることによって、前記注射針の針穴が前記弾性栓内に位置する状態まで移動させる第１の抜刺工程と、その後、前記注射器の押子を保持する押子保持体を移動させることによって、前記押子を第１の所定量引き出す第１の吸引工程と、その後、前記注射器外筒保持体を移動させることによって、前記注射針を前記弾性栓外まで移動させる第２の抜刺工程とを有するものとした。
【０００９】
また、本発明の薬剤移送装置は、弾性栓付き薬剤供給口を有するバッグを保持するバッグ保持体と、このバッグ保持体の下方において、注射器の注射器外筒を、この注射器の注射針を上方に向けて保持する注射器外筒保持体と、その注射器外筒保持体を駆動する注射器外筒保持体駆動体と、前記注射器の押子を駆動する押子駆動体と、この押子駆動体及び前記注射器外筒保持体の駆動制御を行う制御部と、を備え、前記注射器の注射針は、上端側が円錐形状部となり、この円錐形状部の下方に針穴を有する構成とし、前記制御部は、注射針をバッグの弾性栓付き薬剤供給口から引き抜く際には、注射器外筒保持体を下方に移動させ、前記注射針の針穴が弾性栓内に位置する状態で保持し、この保持状態で、押子駆動体にて押子を引き、その後、注射器外筒保持体を下方に移動させることで、注射針を弾性栓外に引き出す動作をさせる構成とした。
【００１０】
これにより、所期の目的を達成するものである。
【発明の効果】
【００１１】
以上のように本発明は、前記注射器の注射針は、その上端側が円錐形状部とし、この円錐形状部の下方に針穴を備え、前記注射器の注射器外筒を保持する注射器外筒保持体を移動させることによって、前記弾性栓の下方から、前記注射器の注射針を前記弾性栓に貫通させ、前記バッグ内に進入させる穿刺工程と、その後、前記注射器と前記バッグ間にて、薬剤を移送させる薬剤移送工程と、その後、前記注射器外筒保持体を移動させることによって、前記注射針の針穴が前記弾性栓内に位置する状態まで移動させる第１の抜刺工程と、その後、前記注射器の押子を保持する押子保持体を移動させることによって、前記押子を第１の所定量引き出す第１の吸引工程と、その後、前記注射器外筒保持体を移動させることによって、前記注射針を前記弾性栓外まで移動させる第２の抜刺工程とを有するものであるので、薬剤の流出を防止する事ができるようになる。
【００１２】
すなわち、本発明においては、前記注射器の注射針を、その上端側が円錐形状部とし、この円錐形状部の下方に針穴を備える構成とすることで、その注射針の先端の上部に薬剤が残留することを防止することができ、その結果として、薬剤の流出を防止する事ができるようになる。更に、前記注射針の針穴が前記弾性栓内に位置する状態において、前記注射器の押子を保持する押子保持体を移動させた状態にて、前記押子を第１の所定量引き出すことによって、注射器内部（注射器外筒内部や針穴内部）を陰圧にすることができるので、第２の抜刺工程において注射針の針穴近傍に残留した薬剤を注射器内部（注射器外筒内部や針穴内部）に流入させることができ、その結果として、薬剤の流出を防止する事ができるようになる。
【図面の簡単な説明】
【００１３】
【図１】本発明の実施の形態１に係る薬剤移送装置の正面図
【図２】本発明の実施の形態１に係る薬剤移送方法を示すフローチャート
【図３】本発明の実施の形態１に係る薬剤移送方法の薬剤移送工程後を説明する断面図を示すものであり、図３（ａ）は全体の断面図、図３（ｂ）は図３（ａ）の要部拡大断面図
【図４】本発明の実施の形態１に係る薬剤移送方法の第１の抜刺工程を説明する断面図を示すものであり、図４（ａ）は全体の断面図、図４（ｂ）は図４（ａ）の要部拡大断面図
【図５】本発明の実施の形態１に係る薬剤移送方法の第２の抜刺工程を説明する断面図を示すものであり、図５（ａ）は全体の断面図、図３（ｂ）は図５（ａ）の要部拡大断面図
【発明を実施するための形態】
【００１４】
（実施の形態１）
以下に、本発明の実施の形態１における薬剤移送方法、およびそれを用いた薬剤移送装置に関して、図面とともに詳細に説明する。
【００１５】
図１は、本発明の実施の形態１に係る薬剤移送装置の正面図を示すものである。
【００１６】
図１に示すごとく、薬剤移送装置１は、弾性栓２付き薬剤供給口３を有するバッグ４を保持するバッグ保持体５と、バッグ保持体５の下方において、注射器６の注射器外筒７を、注射器６の注射針８を上方に向けて保持する注射器外筒保持体９と、注射器外筒保持体９を駆動する注射器外筒保持体駆動体１０と、注射器６の押子１１を駆動する押子駆動体１２と、押子駆動体１２、及び注射器外筒保持体駆動体１０の駆動制御を行う制御部（図示なし）と、を備えている。
【００１７】
なお、バッグ４は袋状のもので、その外表面は容易に変形は可能な状態となっている。ただし、弾性栓２付き薬剤供給口３は、定形性を保つものとなっている。
更に、本実施形態における注射器６の注射針８は、後述の図３に示すように、上端側（先端側）に円錐形状部１３を有し、この円錐形状部１３の下方（後方）に針穴１４を有する構成となっている。
【００１８】
本実施形態のように、注射器６の注射針８を、その上端側が円錐形状部１３で、この円錐形状部１３の下方に針穴１４を備える構成とすることで、その注射針８の先端の上部に薬剤が残留することを防止することができ、その結果として、薬剤の流出を防止する事ができるようになる。
【００１９】
また、本実施形態における注射器外筒保持体駆動体１０と押子駆動体１２は、この制御部（図示せず）によって、注射針８をバッグ４の弾性栓２付き薬剤供給口３から引き抜く際には、注射器外筒保持体９を下方に移動させ、注射針８の円錐形状部１３と針穴１４が弾性栓２内に位置する状態で保持し、この保持状態で、押子駆動体１２にて押子１１を引き、その後、注射器外筒保持体９を下方に移動させることで、注射針８を弾性栓２外に引き出す動作をさせる制御を行うものである。この制御部に行う動作に関しては、後述にて詳しく説明する。
【００２０】
このような薬剤移送装置１によって、特に、放射性医薬品や抗がん剤などの危険医薬品のような薬剤を取り扱う場合、その薬剤の流出を防止する事ができるので、作業者（例えば医療従事者）が、安全に作業を行えるとともに、混合調製や薬剤の移送作業などの人による作業負担を軽減させることができる。
【００２１】
また、本実施形態におけるバッグ４は、薬剤などの液体を格納可能なものであり、薬剤供給口３にゴム栓等の弾性栓２が詰められて、密閉状態となっている。
また、本実施形態における注射器６は、図１に示すごとく、注射針８の一端と接続された針基１５が、注射器外筒７の先端の開口に接続されている。押子１１は、注射器外筒７の中を往復可動状態となっている。押子１１の操作によって、薬剤や気体を注射器外筒７に出し入れすることが可能となっている。
【００２２】
また、本実施形態においては、図１に示すごとく、ベース１６上に、注射器６の注射器外筒７の長手方向の両端を固定する注射器外筒保持体９、および押子１１の一端のフランジを受け入れて、注射器６の軸線上を、押子駆動体１２によって往復移動し（押子を押し引きする動作を行い）、押子１１を注射器外筒７の中を移動させる押子駆動体１２が設けられている。
【００２３】
更に、本実施形態においては、図１に示すごとく、ベース１６を注射器外筒保持体駆動体１０に駆動することによって、注射器外筒保持体９をバッグ保持体５に対して相対的に移動させることができるように構成している。
【００２４】
以上のように薬剤移送装置１を構成することによって、注射器６の注射針８をバッグ４の弾性栓２付き薬剤供給口３に下方から上方へと穿刺し、その後、薬剤を、バッグ４と注射器６の注射器外筒７との間にて移送し、その後、薬剤の流出なしに注射器６の注射針８をバッグ４の弾性栓２付き薬剤供給口３から抜刺せることができ、本実施形態の薬剤移送方法を実施することができる。
【００２５】
なお、本実施形態においては、注射器外筒保持体駆動体１０を設け、注射器外筒保持体駆動体１０を駆動させることにより、注射器外筒保持体９をバッグ保持体５に対して相対的に移動させることができるように構成したが、例えば、バッグ保持体５を駆動するバッグ保持体駆動体を設け、バッグ保持体５を駆動させて、注射器外筒保持体９をバッグ保持体５に対して相対的に移動させることもできる。
【００２６】
次に、本実施形態における液体移送方法に関して説明する。
【００２７】
図２は、本発明の実施の形態１に係る薬剤移送方法を示すフローチャートである。
【００２８】
図２に示すごとく、本実施形態における薬剤移送方法は、大きく分けて、以下の（１）〜（５）の順序にて実施される、５つの工程から構成されるものである。
【００２９】
（１）穿刺工程：Ｓ１
（２）薬剤移送工程：Ｓ２
（３）第１の抜刺工程：Ｓ３
（４）第１の吸引工程：Ｓ４
（５）第２の抜刺工程：Ｓ５
以下に、この（１）〜（５）の工程に関し、その詳細を説明する。
【００３０】
（１）穿刺工程：Ｓ１
まずはじめに、ステップ１の穿刺工程：Ｓ１に関して説明する。
【００３１】
ステップ１の穿刺工程：Ｓ２は、注射器６の注射器外筒７を保持する注射器外筒保持体９を移動させることによって、弾性栓２の下方から、注射器６の注射針８を弾性栓２に貫通させ、バッグ４内に進入させる工程である。
【００３２】
後述の図３に示すごとく、本実施形態における穿刺工程：Ｓ２においては、注射器外筒保持体駆動体１０を駆動することによって、バッグ４の下方から、注射針８をバッグ４の弾性栓２を貫通して、バッグ４内に進入させ、その注射針８の上端側である円錐形状部１３と針穴１４とがバッグ４内に位置するように進入させている。
【００３３】
以上が、本実施形態の薬剤移送方法のステップ１の穿刺工程：Ｓ１である。
【００３４】
（２）薬剤移送工程：Ｓ２
次に、ステップ２の薬剤移送工程：Ｓ２に関して説明する。
【００３５】
ステップ２の薬剤移送工程：Ｓ２は、注射器６とバッグ４間にて、薬剤を移送させる動作を行う工程である。ここで、薬剤を移送させる動作とは、バッグ４内にある薬剤を注射器６へ吸引する動作、もしくは、注射器６内にある薬剤をバッグ４内へ排出する動作のどちらかの動作のことである。この動作は、押子駆動体１２を駆動することによって実施可能である。
【００３６】
以上が、本実施形態の薬剤移送方法のステップ２の薬剤移送工程：Ｓ２である。
【００３７】
（３）第１の抜刺工程：Ｓ３
次に、ステップ３の第１の抜刺工程：Ｓ３に関して説明する。
【００３８】
ステップ３の第１の抜刺工程：Ｓ３は、注射器外筒保持体９を移動させることによって、注射針８の円錐形状部１３と針穴１４が弾性栓２内に位置する状態まで移動させる工程である。
【００３９】
図３は、本発明の実施の形態１に係る薬剤移送方法の薬剤移送工程後を説明する断面図を示すものであり、図３（ａ）は全体の断面図、図３（ｂ）は図３（ａ）の要部拡大断面図を示すものである。
【００４０】
また、図４は、本発明の実施の形態１に係る薬剤移送方法の第１の抜刺工程を説明する断面図を示すものであり、図４（ａ）は全体の断面図、図４（ｂ）は図４（ａ）の要部拡大断面図を示すものである。
【００４１】
図３（ａ）、図３（ｂ）に示すように、本実施形態における薬剤移送工程後の注射器６は、注射針８の円錐形状部１３と針穴１４とがバッグ４内に位置している。その後、第１の抜刺工程を実施する、すなわち、注射器外筒保持体９を移動させることによって、図４（ａ）、図４（ｂ）に示すごとく、注射針８の円錐形状部１３と針穴１４とが、弾性栓２内に位置した状態となる。
【００４２】
以上が、本実施形態の薬剤移送方法のステップ３の第１の抜刺工程：Ｓ３である。
【００４３】
（４）第１の吸引工程：Ｓ４
次に、ステップ４の第１の吸引工程：Ｓ４に関して説明する。
【００４４】
ステップ４の第１の吸引工程：Ｓ４は、注射器６の押子１１を保持する押子保持体１７を移動させることによって、押子１１を第１の所定量引き出す工程である。
【００４５】
本実施形態においては、第１の所定量を１［ｍｌ］とし、押子駆動体１２によって押子１１を引き出し、弾性栓２内に位置する針穴１４の近傍に薬剤を吸引する動作を行った。
この動作を行うことによって、注射器６内部（注射器外筒７内部や針穴１４内部）を陰圧にすることができ、その結果として、第２の抜刺工程：Ｓ５において注射針８の針穴１４近傍に残留した薬剤を注射器６内部（注射器外筒７内部や針穴１４内部）に流入させることができ、薬剤の流出を防止する事ができるのである。
【００４６】
以上が、本実施形態の薬剤移送方法のステップ４の第１の吸引工程：Ｓ４である。
【００４７】
（５）第２の抜刺工程：Ｓ５
次に、ステップ５の第２の抜刺工程：Ｓ５に関して説明する。
【００４８】
ステップ５の第２の抜刺工程：Ｓ５は、注射器外筒保持体９を移動させることによって、注射針８を弾性栓２外まで移動させる工程である。
【００４９】
図５は、本発明の実施の形態１に係る薬剤移送方法の第２の抜刺工程を説明する断面図を示すものであり、図５（ａ）は全体の断面図、図３（ｂ）は図５（ａ）の要部拡大断面図を示すものである。
【００５０】
図５（ａ）、図５（ｂ）に示すように、注射器６の注射針８は、バッグ４の弾性栓２から外部へ完全に移動されている。
【００５１】
注射針８の針穴１４が、バッグ４の弾性栓２の内部から外部に移動する過程において、注射針８の針穴１４がバッグ４の弾性栓２の外部に露出した瞬間に、第１の吸引工程：Ｓ４で注射器６内部（注射器外筒７内部や針穴１４内部）が陰圧であるため、注射針８の針穴１４近傍に残留した薬剤が、注射器６内部（注射器外筒７内部や針穴１４内部）に流入する。その結果として、薬剤の流出を防止することができるのである。
以上が、本実施形態の薬剤移送方法のステップ５の第２の抜刺工程：Ｓ５である。
【００５２】
以上をまとめると、本実施形態における薬剤移送方法、及び薬剤移送装置は、注射器６の注射針８を、その上端側が円錐形状部１３とし、この円錐形状部１３の下方に針穴１４を備える構成とすることで、その注射針８の先端の上部に薬剤が残留することを防止することができ、その結果として、薬剤の流出を防止する事ができるようになる。
更に、注射針８の円錐形状部１３と針穴１４が弾性栓２内に位置する状態において、注射器６の押子１１を保持する押子保持体１７を移動させた状態にて、押子１１を第１の所定量引き出すことによって、注射器６内部（注射器外筒７内部や針穴１４内部）を陰圧にすることができるので、第２の抜刺工程：Ｓ５において注射針８の針穴１４近傍に残留した薬剤を注射器６内部（注射器外筒７内部や針穴１４内部）に流入させることができ、その結果として、薬剤の流出を防止する事ができるようになる。
【産業上の利用可能性】
【００５３】
本発明においては、薬剤の流出を防止する事になる。
よって、注射器と弾性栓付き薬剤供給口を有するバッグ間とで薬剤を移送させる機器に有用である。特に、混合調製を行う薬剤混合装置等の機器に有用である。
【符号の説明】
【００５４】
１  薬剤移送装置
２  弾性栓
３  薬剤供給口
４  バッグ
５  バッグ保持体
６  注射器
７  注射器外筒
８  注射針
９  注射器外筒保持体
１０  注射器外筒保持体駆動体
１１  押子
１２  押子駆動体
１３  円錐形状部
１４  針穴
１５  針基
１６  ベース
１７  押子保持体
【図１】
2013158585.tif 000003
【図２】
2013158585.tif 000004
【図３】
2013158585.tif 000005
【図４】
2013158585.tif 000006
【図５】
2013158585.tif 000007
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
注射器と、弾性栓付き薬剤供給口を有するバッグ間とで薬剤を移送させる薬剤移送方法において、
前記注射器の注射器外筒を保持する注射器外筒保持体を移動させることによって、前記弾性栓の下方から、前記注射器の注射針を前記弾性栓に貫通させ、前記バッグ内に進入させる穿刺工程と、
その後、前記注射器と前記バッグ間にて、薬剤を移送させる薬剤移送工程と、
その後、前記注射器外筒保持体を移動させることによって、前記注射針の針穴が前記弾性栓内に位置する状態まで移動させる第１の抜刺工程と、
その後、前記注射器の押子を保持する押子保持体を移動させることによって、前記押子を第１の所定量引き出す第１の吸引工程と、
その後、前記注射器外筒保持体を移動させることによって、前記注射針を前記弾性栓外まで移動させる第２の抜刺工程と、
を有する薬剤移送方法。
【請求項２】
弾性栓付き薬剤供給口を有するバッグを保持するバッグ保持体と、このバッグ保持体の下方において、注射器の注射器外筒を、この注射器の注射針を上方に向けて保持する注射器外筒保持体と、その注射器外筒保持体を駆動する注射器外筒保持体駆動体と、前記注射器の押子を駆動する押子駆動体と、この押子駆動体及び前記注射器外筒保持体の駆動制御を行う制御部と、を備え、前記制御部は、注射針をバッグの弾性栓付き薬剤供給口から引き抜く際には、注射器外筒保持体を下方に移動させ、前記注射針の針穴が弾性栓内に位置する状態で保持し、この保持状態で、押子駆動体にて押子を引き、その後、注射器外筒保持体を下方に移動させることで、注射針を弾性栓外に引き出す動作をさせる構成とした薬剤移送装置。
【手続補正２】
【補正対象書類名】明細書
【補正対象項目名】０００８
【補正方法】変更
【補正の内容】
【０００８】
そしてこの目的を達成するために本発明の薬剤移送方法は、前記注射器の注射器外筒を保持する注射器外筒保持体を移動させることによって、前記弾性栓の下方から、前記注射器の注射針を前記弾性栓に貫通させ、前記バッグ内に進入させる穿刺工程と、その後、前記注射器と前記バッグ間にて、薬剤を移送させる薬剤移送工程と、その後、前記注射器外筒保持体を移動させることによって、前記注射針の針穴が前記弾性栓内に位置する状態まで移動させる第１の抜刺工程と、その後、前記注射器の押子を保持する押子保持体を移動させることによって、前記押子を第１の所定量引き出す第１の吸引工程と、その後、前記注射器外筒保持体を移動させることによって、前記注射針を前記弾性栓外まで移動させ
る第２の抜刺工程とを有するものとした。
【手続補正３】
【補正対象書類名】明細書
【補正対象項目名】０００９
【補正方法】変更
【補正の内容】
【０００９】
また、本発明の薬剤移送装置は、弾性栓付き薬剤供給口を有するバッグを保持するバッグ保持体と、このバッグ保持体の下方において、注射器の注射器外筒を、この注射器の注射針を上方に向けて保持する注射器外筒保持体と、その注射器外筒保持体を駆動する注射器外筒保持体駆動体と、前記注射器の押子を駆動する押子駆動体と、この押子駆動体及び前記注射器外筒保持体の駆動制御を行う制御部と、を備え、前記制御部は、注射針をバッグの弾性栓付き薬剤供給口から引き抜く際には、注射器外筒保持体を下方に移動させ、前記注射針の針穴が弾性栓内に位置する状態で保持し、この保持状態で、押子駆動体にて押子を引き、その後、注射器外筒保持体を下方に移動させることで、注射針を弾性栓外に引き出す動作をさせる構成とした。
【手続補正４】
【補正対象書類名】明細書
【補正対象項目名】００１１
【補正方法】変更
【補正の内容】
【００１１】
以上のように本発明は、前記注射器の注射針は、前記注射器の注射器外筒を保持する注射器外筒保持体を移動させることによって、前記弾性栓の下方から、前記注射器の注射針を前記弾性栓に貫通させ、前記バッグ内に進入させる穿刺工程と、その後、前記注射器と前記バッグ間にて、薬剤を移送させる薬剤移送工程と、その後、前記注射器外筒保持体を移動させることによって、前記注射針の針穴が前記弾性栓内に位置する状態まで移動させる第１の抜刺工程と、その後、前記注射器の押子を保持する押子保持体を移動させることによって、前記押子を第１の所定量引き出す第１の吸引工程と、その後、前記注射器外筒保持体を移動させることによって、前記注射針を前記弾性栓外まで移動させる第２の抜刺工程とを有するものであるので、薬剤の流出を防止する事ができるようになる。
【手続補正５】
【補正対象書類名】明細書
【補正対象項目名】００１２
【補正方法】変更
【補正の内容】
【００１２】
更に、本発明においては、前記注射針の針穴が前記弾性栓内に位置する状態において、前記注射器の押子を保持する押子保持体を移動させた状態にて、前記押子を第１の所定量引き出すことによって、注射器内部（注射器外筒内部や針穴内部）を陰圧にすることができるので、第２の抜刺工程において注射針の針穴近傍に残留した薬剤を注射器内部（注射器外筒内部や針穴内部）に流入させることができ、その結果として、薬剤の流出を防止する事ができるようになる。